(57)【要約】      （修正有）【課題】画像処理装置から携帯端末装置へ情報を送信する際に、容易にかつ効率的に情報を送信することができる画像処理システムを提供する。【解決手段】画像処理システムは、複合機１１、および複合機と可視光通信が可能な携帯端末装置３１を含む。複合機制御部１２の情報要素生成部は、複合機１１から携帯端末装置３１へ送信する送信情報を複数に分割して、各々の最初にスタートフレーム、各々の最後にストップフレームを付加して複数の情報要素を生成する。送信制御部は、ＬＥＤランプ２５を用いて、情報要素生成部により生成された複数の情報要素を可視光通信により送信するようランプ制御部を制御する。情報要素抽出部３７は、撮像カメラ３５により撮像された光から、可視光通信により情報要素を抽出する。送信情報導出部３９は、判断部３８により全ての情報要素が抽出されたと判断されれば、全ての情報要素を繋ぎ合わせて、送信情報を導出する。【選択図】図２
2018024165.tif 000002
【特許請求の範囲】
【請求項１】
画像を処理する画像処理装置、および前記画像処理装置と可視光通信が可能な携帯端末装置を含む画像処理システムであって、
前記画像処理装置は、
前記画像処理装置外から視認可能な位置に配置されており、点灯により前記画像処理装置の状態を示すランプと、
前記ランプの点灯状態を制御するランプ制御部と、
前記画像処理装置から前記携帯端末装置へ送信する送信情報を複数に分割して、各々の最初にスタートフレーム、各々の最後にストップフレームを付加して複数の情報要素を生成する情報要素生成部と、
前記ランプにより点灯される光を用いて、前記情報要素生成部により生成された複数の前記情報要素を可視光通信により送信するよう前記ランプ制御部を制御する送信制御部とを備え、
前記携帯端末装置は、
点灯している前記ランプの光を撮像する撮像部と、
前記撮像部により撮像された前記光から、前記可視光通信により前記情報要素を抽出する情報要素抽出部と、
前記情報要素抽出部により全ての前記情報要素が抽出された否かを判断する判断部と、
前記判断部により全ての前記情報要素が抽出されたと判断されれば、全ての前記情報要素を繋ぎ合わせて、前記送信情報を導出する送信情報導出部とを備える、画像処理システム。
【請求項２】
前記送信制御部は、各前記情報要素を順序通り繰り返し送信するよう前記ランプ制御部を制御する、請求項１に記載の画像処理システム。
【請求項３】
前記情報要素抽出部は、最初に抽出した前記情報要素が前記送信情報の途中の前記情報要素であると判断すれば、再び最初の前記情報要素を抽出するまで、引き続き各情報要素を抽出する、請求項２に記載の画像処理システム。
【請求項４】
前記情報要素抽出部は、前記スタートフレームを抽出した後、前記ストップフレームを抽出する前に可視光通信が遮断されたと判断した場合には、抽出中の前記情報要素を破棄し、再び送信された対応する前記情報要素を抽出する、請求項２または３に記載の画像処理システム。
【請求項５】
前記ランプ制御部は、前記ランプを点滅させるよう制御し、
前記情報要素生成部は、前記ランプの消灯の前後で前記情報要素の送信が跨ると予め判断すれば、前記消灯前の位置に中断フレームを付加し、点灯直後の位置に再開フレームを付加して前記情報要素を生成する、請求項１〜４のいずれか１項に記載の画像処理システム。
【請求項６】
前記画像処理装置は、第一の消費電力で待機するスタンバイモードと、前記第一の消費電力よりも少ない消費電力で待機するスリープモードとを有し、
前記ランプ制御部は、前記スタンバイモードの時は、連続して前記ランプを点灯させるよう制御し、前記スリープモードの時は、前記ランプを点滅させるよう制御する、請求項１〜５のいずれか１項に記載の画像処理システム。
【請求項７】
前記送信情報は、前記画像処理装置と前記携帯端末装置とをネットワーク接続するネットワーク接続情報を含む、請求項１〜６のいずれか１項に記載の画像処理システム。
【発明の詳細な説明】
【技術分野】
【０００１】
この発明は、画像処理システムに関するものである。
【背景技術】
【０００２】
複合機に代表される画像処理装置や画像形成装置においては、画像データを基に、感光体に対して光を照射し、感光体上に静電潜像を形成する。その後、形成した静電潜像の上に帯電したトナーを供給して可視画像とした後、用紙に転写して定着させ、装置外に排出して印刷する。
【０００３】
画像形成装置における光に関する技術が、特開２０１４−１５０４７４号公報（特許文献１）、および特開２０１５−１２６５０４号公報（特許文献２）に開示されている。
【０００４】
特許文献１に開示の画像形成システムは、発光部を有する画像形成装置と、画像形成装置と可視光通信及び可視光通信とは異なる通信方式による通常通信を行う携帯端末とを有する。画像形成装置は、発光部を用いた可視光通信により、画像形成装置内の情報を送信する可視光送信部と、可視光送信部の動作を制御する送信制御部とを備える。情報端末は、受光部と、受光部で可視光を受光して得られた情報に基づいて、送信側から送信された可視光通信情報を取得する情報取得部とを備える。情報取得部は、情報端末で情報取得部が動作可能になったとき、通常通信で画像形成装置と通信を行うことにより送信制御部に発光通信開始依頼を行う。送信制御部は、情報取得部から発光通信開始依頼を受けた場合であって可視光送信部が発光部を用いた情報の送信を停止しているとき、発光部を用いた情報の送信を実行させる。特許文献１に開示の画像形成システムは、このような構成を備えることを特徴としている。
【０００５】
特許文献２に開示のデータ設定システムは、画像読み取り部を備えた画像形成装置と、光照射部を備えた通信端末装置とを有する。画像形成装置は、画像読み取り部を用いて外部の光信号を受信する光通信受信手段と、受信された光信号に対応するデータの設定を実行する光通信実行手段とを備える。通信端末装置は、光照射部を用いてデータの設定に対応する光信号を発信する光通信発信手段を備える。特許文献２に開示のデータ設定システムは、このような構成を備えることを特徴としている。
【先行技術文献】
【特許文献】
【０００６】
【特許文献１】特開２０１４−１５０４７４号公報
【特許文献２】特開２０１５−１２６５０４号公報
【発明の概要】
【発明が解決しようとする課題】
【０００７】
携帯端末装置を所有するユーザーは、例えば、画像処理装置と自らの所有する携帯端末装置との間で画像データの授受を行いたい場合、携帯端末装置と画像処理装置との間のネットワーク接続を確立させる必要がある。この場合、画像処理装置のＩＰアドレス等の情報を携帯端末装置側に入力し、ネットワーク接続に要する詳細な設定をユーザーの手入力等で行わなければならない。このようなユーザーの作業は、煩雑であり、できるだけ行いたくないものである。また、できるだけ早く、すなわち、時間的に効率よく携帯端末装置側へ情報を送って、設定を行うことが望まれる。
【０００８】
この発明の目的は、画像処理装置から携帯端末装置へ情報を送信する際に、容易にかつ効率的に情報を送信することができる画像処理システムを提供することである。
【課題を解決するための手段】
【０００９】
この発明に係る画像処理システムは、画像を処理する画像処理装置、および画像処理装置と可視光通信が可能な携帯端末装置を含む。画像処理装置は、ランプと、ランプ制御部と、情報要素生成部と、送信制御部とを備える。ランプは、画像処理装置外から視認可能な位置に配置されている。ランプは、点灯により画像処理装置の状態を示す。ランプ制御部は、ランプの点灯状態を制御する。情報要素生成部は、画像処理装置から携帯端末装置へ送信する送信情報を複数に分割して、各々の最初にスタートフレーム、各々の最後にストップフレームを付加して複数の情報要素を生成する。送信制御部は、ランプにより点灯される光を用いて、情報要素生成部により生成された複数の情報要素を可視光通信により送信するようランプ制御部を制御する。携帯端末装置は、撮像部と、情報要素抽出部と、判断部と、送信情報導出部とを備える。撮像部は、点灯しているランプの光を撮像する。情報要素抽出部は、撮像部により撮像された光から、可視光通信により情報要素を抽出する。判断部は、情報要素抽出部により全ての情報要素が抽出された否かを判断する。送信情報導出部は、判断部により全ての情報要素が抽出されたと判断されれば、全ての情報要素を繋ぎ合わせて、送信情報を導出する。
【発明の効果】
【００１０】
このような画像処理システムによれば、画像処理装置から携帯端末装置へ情報を送信する際に、送信情報を複数に分割して情報要素を生成し、可視光通信により情報を送信する。携帯端末装置は、撮像された光の中から情報要素を抽出し、全ての情報要素を繋ぎ合わせて、送信情報を取得する。そうすると、ユーザーの手で送信情報を携帯端末装置に入力する必要はない。また、情報要素は複数に分割されているため、可視光通信の遮断等が生じても、それぞれの情報要素を効率的に抽出することができる。したがって、このような画像処理システムは、画像処理装置から携帯端末装置へ情報を送信する際に、容易にかつ効率的に情報を送信することができる。
【図面の簡単な説明】
【００１１】
【図１】この発明の一実施形態に係る画像処理システムの外観を示す概略図である。
【図２】図１に示す画像処理システムの構成を示すブロック図である。
【図３】複合機制御部の構成を示すブロック図である。
【図４】情報要素の構成を概念的に示す図である。
【図５】複合機から携帯端末装置に送信情報を送信する場合の処理の流れを示すフローチャートである。
【図６】複数の情報要素から構成される送信情報を示す概念図である。
【図７】情報要素が送信されている時に、撮像カメラによる撮像が開始された状態を示す図である。
【図８】可視光通信が遮断された状態を示す図である。
【図９】ＬＥＤランプの消灯の前後に情報要素の送信が跨ると判断された場合の送信制御部の制御状態を示す図である。
【発明を実施するための形態】
【００１２】
以下、この発明の実施の形態を説明する。図１は、この発明の一実施形態に係る画像処理システムの外観を示す概略図である。図２は、図１に示す画像処理システムの構成を示すブロック図である。
【００１３】
図１および図２を参照して、画像処理システム２４は、画像を処理する画像処理装置としての複合機１１、および複合機１１と可視光通信が可能な携帯端末装置３１を含む。携帯端末装置３１は、例えば、複合機１１を操作可能な第一のユーザーによって所有されるものである。
【００１４】
次に、複合機１１の構成について説明する。複合機１１は、画像処理に関し、複写機能、プリンター機能、ファクシミリ機能等、複数の機能を有する。複合機１１は、複合機制御部１２と、操作部１３と、画像読み取り部１４と、画像形成部１５と、給紙カセット１６と、複合機ハードディスク１７と、ネットワーク２３と接続するための複合機ネットワークインターフェース部１８とを備える。
【００１５】
複合機制御部１２は、複合機１１全体の制御を行う。なお、複合機制御部１２は、一時的にデータを記憶する主記憶メモリ１９を含む。操作部１３は、複合機１１側から発信する情報やユーザーの入力内容を表示する表示部としてのタッチパネル型式の表示画面２１を含む。操作部１３は、印刷部数や階調等の画像形成の条件といった画像形成に関するユーザーからの入力を受け付ける。画像読み取り部１４は、セット位置にセットされた原稿を不図示の読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または不図示の載置台上にセットされた原稿の画像を読み取る。給紙カセット１６は、複数設けられており、それぞれ複数枚の用紙をその内部に収納することができる。画像形成部１５は、画像読み取り部１４により読み取られた原稿の画像データやネットワーク２３を介して送信された画像データを基に、給紙カセット１６等から搬送されてきた用紙に画像を形成して印刷する。複合機ハードディスク１７は、送信された画像データや入力された画像形成条件等、画像形成に関するデータを記憶する。
【００１６】
複合機１１は、第一の消費電力で待機するスタンバイモードと、第一の消費電力よりも少ない消費電力で待機するスリープモードとを有する。スタンバイモードは、画像形成の要求を行えば、即時に画像形成を行うことができるモードである。スリープモードは、画像形成の要求を行えば、ある程度の時間を要した後、画像形成を行うことができるモードである。スリープモードは、例えば、画像形成に用いられる図示しない定着ローラーの温度を低温に維持することにより、消費電力を低減している。
【００１７】
複合機１１は、主電源に電力が供給されていることを示すランプとしてのＬＥＤランプ２５を備える。ＬＥＤランプ２５は、複合機１１の外部から視認可能な位置に設けられている。具体的には、ＬＥＤランプ２５は、操作部１３のうち、フロント側の端部に設けられている。ＬＥＤランプ２５の点灯状態をユーザーは視認することにより、複合機１１の状態、例えば、現在属しているモード等を認識することができる。具体的には、ＬＥＤランプ２５が連続して点灯していることを視認すれば、スタンバイモードであることを把握することができる。また、ユーザーは、ＬＥＤランプ２５が通常の点滅状態であることを視認すれば、スリープモードへの移行状態であることを把握することができる。さらに、ユーザーは、ＬＥＤランプ２５が遅い点滅状態であることを視認すれば、スリープモード中であること、ＬＥＤランプ２５が早い点滅状態であることを視認すれば、エラー状態の告知であることを把握することができる。ＬＥＤランプ２５は、後述するＬＥＤランプ制御部２６により点灯状態が制御されている。
【００１８】
複合機制御部１２の構成について説明する。図３は、複合機制御部１２の構成を示すブロック図である。図３を参照して、複合機制御部１２は、ランプ制御部２６と、情報要素生成部２７と、送信制御部２８とを備える。ランプ制御部２６は、ＬＥＤランプ２５の点灯状態を制御する。情報要素生成部２７は、複合機１１から携帯端末装置３１へ送信する送信情報を複数に分割して、各々の最初にスタートフレーム、各々の最後にストップフレームを付加して複数の情報要素を生成する。送信制御部２８は、ＬＥＤランプ２５により点灯される光を用いて、情報要素生成部２７により生成された複数の情報要素を可視光通信により送信するようランプ制御部２６を制御する。
【００１９】
ここで、情報要素生成部２７により生成される情報要素の構成について説明する。図４は、情報要素の構成を概念的に示す図である。図４を参照して、情報要素生成部２７により生成される情報要素４１は、スタートフレーム４２ａと、情報フレーム４２ｂと、ストップフレーム４２ｃとから構成されている。情報フレーム４２ｂは、複合機１１から携帯端末装置３１へ送信される送信情報を複数に分割したうちの一つである。情報フレーム４２ｂの最初に、情報要素４１のスタートを示すスタートフレーム４２ａが付加され、情報フレーム４２ｂの最後に、情報要素４１のストップを示すストップフレーム４２ｃが付加されて、情報要素４１が生成される。情報要素４１が送信される流れの方向は、図４中の矢印Ｄ１で示す方向である。
【００２０】
情報フレーム４２ｂについてはさらに、情報の内容である内容フレーム４２ｄと、情報のデータであるデータフレーム４２ｅとに分けられる。内容フレーム４２ｄは、情報フレーム４２ｂに含まれる情報の内容を示す。図４に示す場合においては、情報要素４１の内容として「ＩＰアドレス」である旨を示す。データフレーム４２ｅは、実際に、複合機１１に割り当てられているＩＰアドレスとして「ＸＸＸ」というデータが示されている。このようにして、情報フレーム４２ｂが構成されている。なお、内容フレーム４２ｄ、およびデータフレーム４２ｅの内容に応じて、それぞれのデータ量が異なるものである。
【００２１】
次に、携帯端末装置３１の構成について説明する。携帯端末装置３１は、携帯端末装置制御部３２と、ネットワーク２３と接続するための携帯端末装置ネットワークインターフェース部３３と、タッチパネル３４と、撮像部としての撮像カメラ３５と、携帯端末装置記憶部３６とを含む。携帯端末装置制御部３２は、携帯端末装置３１自身を制御する。タッチパネル３４は、携帯端末装置３１側から発信する情報やユーザーの入力内容を表示する。また、タッチパネル３４は、ユーザーからの種々の操作内容の入力を受け付ける。撮像カメラ３５は、携帯端末装置３１の外部の状況をカメラ機能によって撮像し、携帯端末装置３１に取り込むことができる。携帯端末装置記憶部３６は、種々のデータを記憶する。
【００２２】
携帯端末装置制御部３２の構成について説明する。携帯端末装置制御部３２は、情報要素抽出部３７と、判断部３８と、送信情報導出部３９とを備える。情報要素抽出部３７は、撮像カメラ３５により撮像された光から、可視光通信により情報要素を抽出する。判断部３８は、情報要素抽出部３７により全ての情報要素４１が抽出された否かを判断する。送信情報導出部３９は、判断部３８により全ての情報要素４１が抽出されたと判断されれば、全ての情報要素４１を繋ぎ合わせて、送信情報を導出する。
【００２３】
次に、画像処理システム２４を用いて、複合機１１から携帯端末装置３１に送信情報を送信する場合について説明する。図５は、複合機１１から携帯端末装置３１に送信情報を送信する場合の処理の流れを示すフローチャートである。なお、複合機１１は、いわゆるスタンバイモードの状態であるとする。また、送信情報は、複合機１１と携帯端末装置３１とをネットワーク接続するネットワーク接続情報である。
【００２４】
図５を参照して、まず、ＬＥＤランプ２５を点灯させる（図５において、ステップＳ１１、以下、「ステップ」を省略する）。この場合、ランプ制御部２６により制御されるＬＥＤランプ２５の点灯状態については、スタンバイモードであるため、主電源がオン状態となってから、連続して点灯した状態となっている。
【００２５】
次に、送信制御部２８は、ＬＥＤランプ２５により点灯される光を用いて、可視光通信により複数の情報要素４１を送信する（Ｓ１２）。すなわち、ＬＥＤランプ２５により点灯される光に、複数の情報要素を含ませて点灯させる。
【００２６】
図６は、複数の情報要素から構成される送信情報を示す概念図である。図６を参照して、送信情報４３は、五つの情報要素４４ａ、４４ｂ、４４ｃ、４４ｄ、４４ｅから構成されている。各情報要素４４ａ〜４４ｅには、それぞれスタートフレーム４５ａ、４５ｂ、４５ｃ、４５ｄ、４５ｅと、情報フレーム４６ａ、４６ｂ、４６ｃ、４６ｄ、４６ｅと、ストップフレーム４７ａ、４７ｂ、４７ｃ、４７ｄ、４７ｅとが含まれている。送信制御部２８は、各情報要素４４ａ〜４４ｅを順序通り繰り返し送信するようランプ制御部２６を制御する。
【００２７】
その後、所有している携帯端末装置３１の撮像カメラ３５により、点灯しているＬＥＤランプ２５を撮像する（Ｓ１３）。この場合、ＬＥＤランプ２５は、操作部１３のうち、フロント側の端部に設けられているため、容易に撮像することができる。
【００２８】
そして、情報要素抽出部３７は、撮像カメラ３５により撮像された光から、可視光通信により情報要素４４ａ〜４４ｅを抽出する（Ｓ１４）。この場合、情報要素４４ａから順に送信されているため、情報要素４４ａ、４４ｂ、４４ｃ、４４ｄ、４４ｅの順に抽出される。
【００２９】
判断部３８により、全ての情報要素４４ａ〜４４ｅが抽出されたと判断されれば（Ｓ１５において、ＹＥＳ）、送信情報導出部３９は、情報要素抽出部３７により抽出された複数の情報要素４４ａ〜４４ｅを繋ぎ合わせて、送信情報を導出する（Ｓ１６）。具体的には、各情報要素４４ａ〜４４ｅからそれぞれスタートフレーム４５ａ〜４５ｅ、およびストップフレーム４７ａ〜４７ｅを取り除き、情報フレーム４６ａ〜４６ｅをそれぞれ繋ぎ合わせて、送信情報を導出する。
【００３０】
その後、導出された送信情報を基に、携帯端末装置３１は、複合機１１とのネットワーク接続を確立する（Ｓ１７）。具体的には、送信情報に含まれる複合機１１のＩＰアドレス等を利用して、ネットワーク接続を確立する。
【００３１】
このような画像処理システム２４によれば、複合機１１から携帯端末装置３１へ情報を送信する際に、送信情報４３を複数に分割して情報要素４４ａ〜４４ｅを生成し、可視光通信により情報を送信する。携帯端末装置３１は、撮像された光の中から情報要素４４ａ〜４４ｅを抽出し、全ての情報要素４４ａ〜４４ｅを繋ぎ合わせて、送信情報４３を取得する。そうすると、ユーザーの手で送信情報４３を携帯端末装置３１に入力する必要はない。また、情報要素４４ａ〜４４ｅは複数に分割されているため、可視光通信の遮断等が生じても、それぞれの情報要素４４ａ〜４４ｅを効率的に抽出することができる。したがって、このような画像処理システム２４は、複合機１１から携帯端末装置３１へ情報を送信する際に、容易にかつ効率的に情報を送信することができる。
【００３２】
効率的な情報要素４４ａ〜４４ｅの抽出については、以下の通りである。図７に示すように、送信制御部２８により情報要素４４ｃが送信されている時に、撮像カメラ３５による撮像が開始されたとする。図７は、情報要素４４ｃが送信されている時に、撮像カメラ３５による撮像が開始された状態を示す図である。この場合、情報要素４４ｄ、４４ｅ、４４ａ、４４ｂ、４４ｃの順に抽出される。このように構成することにより、先頭の情報要素４４ａが再び送信されるまで待ってから情報要素４４ａ〜４４ｅを抽出する必要はない。したがって、より時間的に効率よく情報を送信することができる。
【００３３】
また、図８に示すように、情報要素４４ｂの途中から情報要素４４ｄの途中まで、撮像カメラ３５とＬＥＤランプ２５との間に遮蔽物が存在した等の理由で可視光通信が遮断された場合には、以下のようになる。図８は、可視光通信が遮断された状態を示す図である。この場合、情報要素４４ａ、４４ｅ、４４ｂ、４４ｃ、４４ｄの順に抽出されることとなる。情報要素４４ｂ、４４ｃ、４４ｄは、送信制御部２８により繰り返し送信された際に抽出される。このように構成することにより、可視光通信が遮断された場合にも、時間的に効率よく情報を送信することができる。
【００３４】
次に、複合機１１がスリープモードの状態である場合について説明する。スリープモード時においては、ＬＥＤランプ２５は、点滅している。具体的には、通常の点滅状態となっている。
【００３５】
ここで、送信される情報要素４４ａ〜４４ｅのうち、点滅状態においてＬＥＤランプ２５がオンからオフに切り替わる際に、情報要素４４ａ〜４４ｅが全て送信しきれないものが出てくる。すなわち、ＬＥＤランプ２５の消灯の前後において、情報要素４４ａ〜４４ｅの送信が跨ってしまう場合が出てくる。この時は、以下のように構成する。
【００３６】
図９は、ＬＥＤランプ２５の消灯の前後に情報要素４４ａ〜４４ｅの送信が跨ると判断された場合の送信制御部２８の制御状態を示す図である。図９のうち、上側の領域は、線５１でＬＥＤランプ２５のオン状態またはオフ状態を示し、下側の領域は、送信される情報要素５２ａ、５２ｂ、５２ｃを示す。図９において、左側から右側に向かって、時間が経過するものとする。
【００３７】
図９を参照して、時間Ｔ１でＬＥＤランプ２５がオン状態からオフ状態に切り替わる。この時、点灯時において、情報要素５２ａの送信が済み、次の情報要素５２ｂの送信が全てできない状況となる。ここで、情報要素生成部２７は、ＬＥＤランプ２５の消灯の前後に情報要素５２ｂの送信が跨ると予め判断すれば、消灯前の位置に情報フレーム５３ａの後に中断フレーム５４ａを付加し、点灯直後の位置に情報フレーム５３ｂの前に再開フレーム５４ｂを付加して情報要素５２ｂ、５２ｃを生成する。
【００３８】
このように構成することにより、情報要素抽出部３７は、中断フレーム５４ａ、再開フレーム５４ｂの前後に位置する情報要素５２ｂが繋がったものであると認識することができる。したがって、ＬＥＤランプ２５が点滅状態であったとしても、時間的に効率よく情報を送信することができる。
【００３９】
なお、上記の実施の形態において、送信情報は、ネットワーク接続情報を含むこととしたが、これに限らず、他の送信情報を含むこととしてもよい。具体的には、例えば、複合機１１側において携帯端末装置３１を認証するために必要なパスワードの情報を含むこととしてもよい。
【００４０】
また、上記の実施の形態においては、ＬＥＤランプ２５は、操作部１３のフロント側の端部に設けることとしたが、これに限らず、複合機１１の本体の側部や、その他の部分に設けることとしてもよい。なお、ランプについては、ＬＥＤランプ２５に限らず、他の方式のランプであってもよい。
【００４１】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４２】
この発明に係る画像処理システムは、画像処理装置から携帯端末装置へ情報を送信する際に、容易にかつ効率的な情報の送信が要求される場合に、特に有効に利用される。
【符号の説明】
【００４３】
１１  複合機、１２  複合機制御部、１３  操作部、１４  画像読み取り部、１５  画像形成部、１６  給紙カセット、１７  複合機ハードディスク、１８  複合機ネットワークインターフェース部、１９  主記憶メモリ、２１  表示画面、２２  ＡＤＦ、２３  ネットワーク、２４  画像処理システム、２５  ＬＥＤランプ、２６  ランプ制御部、２７  情報要素生成部、２８  送信制御部、３１  携帯端末装置、３２  携帯端末装置制御部、３３  携帯端末装置ネットワークインターフェース部、３４  タッチパネル、３５  撮像カメラ、３６  携帯端末装置記憶部、３７  情報要素抽出部、３８  判断部、３９  送信情報導出部、４１，４４ａ，４４ｂ，４４ｃ，４４ｄ，４４ｅ，５２ａ，５２ｂ，５２ｃ  情報要素、４２ａ，４５ａ，４５ｂ，４５ｃ，４５ｄ，４５ｅ  スタートフレーム、４２ｂ，４６ａ，４６ｂ，４６ｃ，４６ｄ，４６ｅ，５３ａ，５３ｂ  情報フレーム、４２ｃ，４７ａ，４７ｂ，４７ｃ，４７ｄ，４７ｅ  ストップフレーム、４２ｄ  内容フレーム、４２ｅ  データフレーム、４３  送信情報、５１  線、５４ａ  中断フレーム、５４ｂ  再開フレーム。
【図１】
2018024165.tif 000003
【図２】
2018024165.tif 000004
【図３】
2018024165.tif 000005
【図４】
2018024165.tif 000006
【図５】
2018024165.tif 000007
【図６】
2018024165.tif 000008
【図７】
2018024165.tif 000009
【図８】
2018024165.tif 000010
【図９】
2018024165.tif 000011